(57)【特許請求の範囲】
【請求項１】
容器本体にヒンジ部を介して屈曲自在に付属品を連結する付属品付き容器において、前記ヒンジ部の一部に付属品の肉厚の範囲で厚肉部を設け、該厚肉部は、スリットによって分断される付属品側と容器側の一対の切断部を有し、一方の切断部の切断端面が他方の切断部の側面に係合して折り畳み姿勢を保持することを特徴とする付属品付き容器。
【請求項２】
スリットは、ヒンジ部を横断する第１スリットと、該第１スリットに連接しかつ切断部を横断する第２スリットとからなることを特徴とする請求項１に記載の付属品付き容器。
【請求項３】
付属品の起立位置にて、切断部の切断端面同士が係合して起立姿勢を保持する構成となっていることを特徴とする請求項１又は２に記載の付属品付き容器。
【請求項４】
付属品が起立位置と折り畳み位置間を移動する際に、一方の切断部の角部が他方の切断部の端面に食い込んで部分的に抵抗力を増大させる構成となっていることを特徴とする請求項３に記載の付属品付き容器。
【請求項５】
厚肉部がヒンジ部の中央に設けられている請求項１乃至４のいずれかの項に記載の付属品付き容器。
【請求項６】
折り畳み位置にて、一方の切断部の切断端面が係合する他方の切断部の側面は、切断端面に対して９０度以下の角度に設定されている請求項１乃至５のいずれかの項に記載の付属品付き容器。
【請求項７】
付属品は自立可能の容器本体底部に連結され、容器本体底部には折り畳み位置にて付属品を収納する収納凹部が設けられている請求項１乃至６のいずれかの項に記載の付属品付き容器。
【請求項８】
付属品が吊り下げ具であることを特徴とする請求項１乃至７のいずれかの項に記載の付属品付き容器。
【発明の詳細な説明】
【０００１】
【発明の属する技術分野】
本発明は、容器本体に付属品を連結した付属品付き容器に関し、特に輸液容器のように吊り下げ具を容器本体に連結した付属品付き容器に関する。
【０００２】
【従来の技術】
従来の付属品付き容器としては、たとえば、実開昭５６−８８６３６号公報に記載されるような吊り下げ具付き容器が知られている。すなわち、容器本体底部に吊り下げ具が樹脂ヒンジ部を介して折り畳み自在に連結され、吊り下げ具を使用しない場合には、吊り下げ具を折り畳んで容器本体底部に設けた収納凹部に収納するようになっている。
そして、収納凹部の側縁上部に、収納凹部に吊り下げ具の側縁が係合する凸部が設けられ、吊り下げ具を折り畳んで収納凹部に収納した際に、凸部によって折り畳み状態を保持するように構成されていた。
【０００３】
【発明が解決しようとする課題】
しかしながら上記した従来の吊り下げ具付き容器は、吊り下げ部の樹脂ヒンジ部とは別に、幅の狭い収納凹部の側壁に部分的に突出する凸部を形成しなければならず、構造が複雑なものとなっていた。
【０００４】
本発明は上記した従来技術の課題を解決するためになされたもので、その目的とするところは、ヒンジ部に係止機能を合わせ持つ簡単な構造の付属品付き容器を提供することにある。
【０００５】
【課題を解決するための手段】
上記目的を達成するために、本発明にあっては、容器本体にヒンジ部を介して屈曲自在に付属品を連結する付属品付き容器において、前記ヒンジ部の一部に付属品の肉厚の範囲で厚肉部を設け、該厚肉部は、スリットによって分断される付属品側と容器側の一対の切断部を有し、一方の切断部の切断端面が他方の切断部の側面に係合して折り畳み姿勢を保持することを特徴とする。
スリットは、ヒンジ部を横断する第１スリットと、該第１スリットに連接しかつ切断部を横断する第２スリットとからなることを特徴とする。
また、付属品の起立位置にて、切断部の切断端面同士が係合して起立姿勢を保持する構成となっていることを特徴とする。
【０００６】
付属品が起立位置と折り畳み位置間を移動する際に、一方の切断部の角部が他方の切断部の端面に食い込んで部分的に抵抗力を増大させる構成となっていることを特徴とする。
厚肉部がヒンジ部の中央に設けられていることが好ましい。
【０００７】
また、折り畳み位置にて、一方の切断部の切断端面が係合する他方の切断部の側面は、切断端面に対して９０度以下の角度に設定されていることが好ましい。付属品は自立可能の容器本体底部に連結され、容器本体底部には折り畳み位置にて付属品を収納する収納凹部が設けられていることを特徴とする。
上記付属品としては、たとえば吊り下げ具に適用することが好適である。
【０００８】
【発明の実施の形態】
以下に本発明を図示の実施の形態に基づいて説明する。
図１及び図２は、本発明の実施の形態に係る付属品付き容器を示している。
すなわち、この付属品付き容器１は、たとえば輸液容器等に適用されるもので、図２に示すように、容器本体２０の底部２１に付属品として吊り下げ具３０が連結されている。底部２１には吊り下げ部を折り畳んで収納する収納凹部２２が設けられ、内容物充填時、運搬時等には、底部２１を下にして自立可能な構成となっている。
【０００９】
収納凹部２２は、容器底部２１の中央部を所定幅でもって、容器前端から後端まで窪ませた構成で、この収納凹部２２の中央に、板状の吊り下げ具３０の板面を前後に向けた状態で連結されている。
吊り下げ具３０は容器底部から下方に向かって板状に延びている。吊り下げ具３０の幅は収納凹部２２の幅よりも若干小さく、吊り下げ具３０の突出長さは、容器本体２０の前後方向の幅の半分程度で、折り畳み時に吊り下げ具３０の先端は収納凹部２２の前端あるいは後端までの範囲に収まるようになっている。また、吊り下げ具３０には、吊り下げ時にフックに引っ掛けるための係合穴３１が開けられている。
【００１０】
この容器本体底部２１にヒンジ部４０を介して吊り下げ具３が連結されている。この実施の形態では、厚肉部６０がヒンジ部４０の中央に設けられており、ヒンジ部４０に薄肉部５０と厚肉部６０が並列に設けられている。
薄肉部５０は、容器本体底部２１から突出する厚肉の基部３２と、吊り下げ具３０との間に形成されるもので、基部３２側および吊り下げ具３０側から徐々に肉厚が薄肉となり、最小厚みの部分が屈曲するライン状の屈曲部５１となり、吊り下げ具３０を容器本体２０に対して屈曲自在に支持している。
【００１１】
厚肉部６０は吊り下げ具側と容器側の一対の切断部６１，６２に分断されて薄肉部５０を中心とする吊り下げ具３０の回転動作を許容する構成となっており、吊り下げ具３０の折り畳み位置にて、図１（Ｅ）に示すように、一方の切断部６１の切断端面６１ａが他方の切断部６２の側面６２ｂに係合して折り畳み姿勢を保持する構成となっている。
また、吊り下げ具３０の起立位置では、吊り下げ具側，容器側切断部６１，６２の切断端面６１ａ，６２ａ同士が係合して吊り下げ姿勢を保持するようになっている（図１（Ｄ）参照）。
【００１２】
そして、吊り下げ具３０が起立位置と折り畳み位置間を移動する際に、一方の容器側切断部６２の角部６３が吊り下げ具側切断部６１の端面６１ａに食い込んで部分的に抵抗力を増大させてクリック機構を構成する（図１（Ｆ）参照）。この角部６３と端面６１ａとの食い込み量を調整することにより、抵抗の大きさ、節度感を調整可能である。この食い込み量の調節として、切断部６１の肉厚による調整、切断端面６１ａの傾斜角度による調整、角部６３と切断端面６１ａの少なくともいずれか一方に凸形状を付与することによる調整、あるいはこれらの組み合わせにより調整可能である。
折り畳み位置にて、吊り下げ具側切断部６１の切断端面６１ａが係合する容器側切断部６２の側面６２ｂは、容器側切断部６２の切断端面６２ａに対して９０度よりも所定角度だけ小さい。
【００１３】
吊り下げ具側，容器側切断部６１，６２は、ヒンジ部４０の一部に所定形状にスリットを入れることにより形成される。このスリットは、ヒンジ部４０を横断するように屈曲部５１に対して直交方向に延びて、吊り下げ具３０の回転を許容する第１スリットＣ１，Ｃ１と、第１スリットＣ１，Ｃ１に連接しかつ切断部を横断するように第１スリットＣ１，Ｃ１の上端から回転軸と平行方向に延びて係合面となる切断端面６１ａ，６２ａを形成する第２スリットＣ２とを備えたコ字形状となっている。
本実施の形態の場合、第２スリットＣ２が薄肉部５０の屈曲部５１より吊り下げ具３０側に位置し、第１スリットＣ１は、第２スリットＣ２の両端から薄肉部５０の屈曲部５１を横断して所定寸法だけ容器側に延びている。
本実施の形態の場合には、容器本体２０および吊り下げ具３０が一体的に射出成形されるもので、厚肉部６０をカッターで切断して一対の切断部６１，６２に分断しているが、ダイレクトブロー等で成形する場合には、成形後に切断するのではなく、予め切断（分断）された形状で形成することも可能である。
【００１４】
本実施の形態の吊り下げ具付き容器は次のようにして使用する。
内容物充填時や輸送時には、吊り下げ具３０を折り畳み、容器底部２１の収納凹部２２に収納しておく。吊り下げ具３０の折り畳みは、前後いずれの方向に折り畳んでもよく、吊り下げ具側切断部６１の切断端面６１ａが容器側切断部６２の側面６２ｂに係合し、折り畳み状態が保持される。この側面６２ｂは切断端面６２ａに対して鋭角的に傾斜しているので、吊り下げ具３０の先端は収納凹部２２内に深く沈み込む方向に傾斜することになり、収納凹部２２から先端が突出するおそれが無く、容器の転倒のおそれがない。
この実施の形態では、吊り下げ具３０を前後いずれにも折り畳み可能としているが、一方向にのみ折り畳み可能としておけば、収納凹部２２の面積を小さくでき、接地面を増大して容器の安定性を高めることができる効果がある。
折り畳み方向を限定する方法としては、たとえば、吊り下げ具側切断部６１の切断端面６１ａと容器側切断部６２の切断端面６２ａを前方に傾斜させておけば後方への折り曲げを制限できる。また、薄肉部５０を厚肉部６０の肉厚の中心から前面側に偏倚させても、後方への折り曲げを制限することができる。
【００１５】
［他の実施の形態］
上記実施の形態では、吊り下げ具３０の折り畳み位置にて、吊り下げ具側切断部６１の切断端面６１ａが容器側切断部６２の側面６２ｂに係合して折り畳み姿勢を保持する構造となっているが、図３（Ａ）に示すように、吊り下げ具３０の折り畳み位置にて、容器側切断部２６２の切断端面２６２ａが吊り下げ具側切断部２６１の側面２６１ｂに係合して折り畳み姿勢を保持する構造とすることもできる。
この場合、図示しないが、第２スリットＣ２が薄肉部５０の屈曲部５１より容器底部２１側に位置し、第１スリットＣ１は、第２スリットＣ２の両端から薄肉部５０の屈曲部５１を横断して所定寸法だけ吊り下げ具３０側に延びる構成とすればよい。
【００１６】
また、吊り下げ具３０の起立位置では、吊り下げ具側，容器側切断部２６１，２６２の切断端面６１ａ，６２ａ同士が係合して吊り下げ姿勢を保持する（図３（Ｂ）参照）。
そして、吊り下げ具３０が起立位置と折り畳み位置間を移動する際に、一方の吊り下げ具側切断部２６１の角部２６３が容器側切断部２６２の端面２６２ａに食い込んで部分的に抵抗力を増大させるクリック機構を構成する（図３（Ｃ）参照）。
また、図示しないが、厚肉部６０の第２スリットＣ２の切断位置を、薄肉部５０の屈曲部５１のライン上で切断しても、折り畳み位置で姿勢を保持することが可能である。第１スリットＣ１は吊り下げ具側および容器側の両方に所定長さ切り込んでいる。この場合も、一方の切断端面が他方の切断部の側面に係合して姿勢が保持されるが、いずれの切断部の切断端面を他方の側面に係合させてもよい。
【００１７】
なお、上記各実施の形態では、厚肉部６０を中央に、薄肉部５０を左右一対設けたが、厚肉部６０を左右２箇所に設け、薄肉部５０を中央に位置させてもよいし、複数の薄肉部５０と複数の厚肉部６０を各々一つずつ交互に並列に並べてもよい。
なお、上記実施の形態では、付属品として輸液容器等の吊り下げ具を例にとって説明したが、吊り下げ具以外に、たとえば、食品容器，洗剤容器に付いているスプーン、かき混ぜ棒等の付属品についても応用できる。スプーン，かき混ぜ棒等の付属品については、薄肉部にミシン目状の切り目等の易切断手段を設けて切り離し可能に構成してもよい。
【００１８】
【発明の効果】
以上説明したように、本請求項１に記載の発明によれば、容器本体への付属品の折り畳み位置にて、ヒンジ部の一部に厚肉部を設け、厚肉部はスリットによって分断される付属品側と容器側の一対の切断部を有し、一方の切断部の切断端面が他方の切断部の側面に係合して折り畳み姿勢を保持する構成となっているので、容器本体側に付属品を固定するための形状を施すことなく、吊り下げ部等の付属品の肉厚の範囲で、ヒンジ機能と姿勢保持機能を合わせもつ連結構造を実現できた。
【００１９】
請求項２に記載の発明によれば、スリットは、ヒンジ部を横断する第１スリットと、第１スリットに連接しかつ切断部を横断する第２スリットとを有する構成となっているので、加工がきわめて簡単にできる。
請求項３に記載の発明によれば、吊り下げ具等の付属品の起立位置にて、一対の切断部の切断端面同士が係合して吊り下げ姿勢を保持する構造としたので、吊り下げ姿勢も保持することができる。
【００２０】
請求項４に記載の発明によれば、吊り下げ具等の付属品が起立位置と折り畳み位置間を移動する際に、一方の切断部の角部が他方の切断部の端面に食い込んで部分的に抵抗力を増大させる構成としたので、付属品の折り畳み操作に節度感が付与され、操作性がよい。
請求項５に記載の発明によれば、厚肉部をヒンジ部の中央に設けられているので、一対の切断部がバランスよく係合し、安定して姿勢を保持することができる。
【００２１】
請求項６に記載の発明によれば、一方の切断部の切断端面が係合する他方の切断部の側面を、切断部の切断端面に対して９０度以下の角度に設定したので、吊り下げ具等の付属品を確実に折り畳むことができる。
請求項７に記載の発明によれば、吊り下げ具等の付属品は自立可能の容器本体底部に連結され、折り畳み位置にて吊り下げ具が収納凹部に収納される構成なので、容器本体底部の自立安定性が向上する。
【図面の簡単な説明】
【図１】図１は本発明の実施の形態に係る容器の付属品としての吊り下げ具を示すもので、同図（Ａ）は正面図、同図（Ｂ）は側面図、同図（Ｃ）は同図（Ａ）のＣ−Ｃ線断面図、同図（Ｄ）は同図（Ａ）のＤ−Ｄ線断面図、同図（Ｅ）は同図（Ａ）の吊り下げ具の折り畳み位置での中央断面図、同図（Ｆ）は吊り下げ具の回転途中の状態の中央断面図、同図（Ｇ）は厚肉部の部分拡大図である。
【図２】図２は本発明の付属品付き容器の全体構成を示すもので、同図（Ａ）及び同図（Ｂ）は容器吊り下げ状態の概略図、同図（Ｃ）は容器搬送状態の概略図、同図（Ｄ）は容器底面図である。
【図３】図３は本発明の付属品付き容器の他の実施の形態を示すもので、同図（Ａ）は吊り下げ具の折り畳み位置での中央断面図、同図（Ｂ）は吊り下げ具の起立位置での中央断面図、同図（Ｃ）は吊り下げ具の回転途中の状態の中央断面図である。
【符号の説明】
１  付属品付き容器
２０  容器本体、２１  底部、２２  収納凹部
３０  吊り下げ具、３１  係合穴、３２  基部
４０  ヒンジ部
５０  薄肉部、５１  屈曲部
６０  厚肉部、６１  吊り下げ具側切断部、６２  容器側切断部
６１ａ  切断端面、６２ａ  切断端面、６２ｂ  側面
６３  角部
Ｃ１  第１スリット、Ｃ２  第２スリット
２６３  容器側切断部
２６２ａ  切断端面
２６１  吊り下げ具側切断部
２６１ｂ  側面
【図１】
0004120260.tif 000002
【図２】
0004120260.tif 000003
【図３】
0004120260.tif 000004